(57)【要約】【課題】  ＨｅｔＮｅｔが適用されるサービスエリアにおいて、ハンドオーバの頻繁な発生を抑制し、基地局を含むネットワーク装置の負荷を低減する。【解決手段】  ＨｅｔＮｅｔ環境において、基地局は、隣接基地局のセルサイズ情報テーブルを有し、端末は、ハンドオーバを起動する測定報告を行う際に、通信中の基地局とハンドオーバ対象基地局以外の、予め定めた通信品質以上のスモールセル基地局の通信品質情報も測定報告に含めて送信し、端末と通信中の基地局は、隣接基地局のセルサイズ情報テーブルから、測定報告にスモールセル基地局の通信品質情報が含まれている場合には、端末に対し、測定報告の送信契機の再設定を行い、再設定された送信契機に基づいて端末が送信してきた測定報告から、端末の移動方向を判断し、ハンドオーバ先を決定する。【選択図】  図４
2015220696.tif 000002
【特許請求の範囲】
【請求項１】
第１のセルサイズを有する第１の基地局と、前記第１のセルサイズよりも小さい第２のセルサイズ有する第２の基地局が混在する無線通信ネットワークにおける第１または第２の基地局と通信中の端末のハンドオーバ制御方法であって、
前記端末と通信中の基地局は、ハンドオーバ候補となる隣接基地局のセルサイズ情報テーブルを有し、
端末は、第１の基地局をハンドオーバ対象とするハンドオーバを起動する測定報告を行う際に、通信中の基地局とハンドオーバ対象基地局以外の、予め定めた通信品質以上の第２の基地局の通信品質情報も測定報告に含めて送信し、
前記端末と通信中の基地局は、前記測定報告および前記隣接基地局のセルサイズ情報テーブルから、前記測定報告にハンドオーバ対象基地局以外の第２のセルサイズの第２の基地局の通信品質情報が含まれているか否か判断し、含まれている場合には、前記端末に対し、測定報告の送信契機の再設定を行い、前記端末が再設定された送信契機に基づいて送信してきた測定報告から、前記端末が前記第２の基地局の方向に移動しているか否かを判断し、ハンドオーバ先を決定することを特徴とするハンドオーバ制御方法。
【請求項２】
請求項１に記載のハンドオーバ制御方法であって、
前記ハンドオーバ候補となる隣接基地局のセルサイズ情報は、それぞれの基地局が、隣接基地局からハンドオーバ要求を受信した際に、ハンドオーバ要求に含まれる端末のヒストリ情報を参照して、取得することを特徴とするハンドオーバ制御方法。
【請求項３】
請求項１に記載のハンドオーバ制御方法であって、
前記端末と通信中の基地局は、前記端末に対して、予め定めた一定間隔で測定報告を連続して送信するように送信契機の再設定を行い、予め定めた一定間隔で連続して送信されてきた測定報告の第２の基地局の通信品質情報が時間とともに増加している場合に、前記端末が前記第２の基地局の方向に移動していると判断し、前記第２の基地局をハンドオーバ先とすることを特徴とするハンドオーバ制御方法。
【請求項４】
請求項１に記載のハンドオーバ制御方法であって、
前記端末と通信中の基地局は、前記端末に対して、前記第１または第２の基地局の通信品質が前回の測定報告の報告値より一定値以上増減した場合に、測定報告を行うように送信契機の再設定を行い、再設定された送信契機に基づいて送信されてきた測定報告の第２の基地局の通信品質情報が前回の測定報告の報告値より増加している場合には、前記端末が前記第２の基地局の方向に移動していると判断し、前記第２の基地局をハンドオーバ先とすることを特徴とするハンドオーバ制御方法。
【請求項５】
第１のセルサイズを有する第１の基地局と、前記第１のセルサイズよりも小さい第２のセルサイズを有する第２の基地局が混在する無線通信ネットワークにおける前記第１または第２の基地局であって、
ハンドオーバ候補となる隣接基地局のセルサイズ情報テーブルを有し、
端末から、前記第１のセルサイズの第１の基地局をハンドオーバ対象とするハンドオーバを起動する測定報告を受信すると、
受信した前記測定報告および前記隣接基地局のセルサイズ情報テーブルから、前記測定報告にハンドオーバ対象基地局以外の第２のセルサイズの第２の基地局の通信品質情報が含まれているか否か判断し、含まれている場合には、前記端末に対し、測定報告の送信契機の再設定を行い、前記端末が再設定された送信契機に基づいて送信してきた測定報告から、前記端末が前記第２の基地局の方向に移動しているか否かを判断し、ハンドオーバ先を決定することを特徴とする基地局。
【請求項６】
前記ハンドオーバ候補となる隣接基地局のセルサイズ情報は、隣接基地局からハンドオーバ要求を受信した際に、ハンドオーバ要求に含まれる端末のヒストリ情報を参照して、取得することを特徴とする前記請求項５に記載の基地局。
【請求項７】
前記端末に対して、予め定めた一定間隔で測定報告を連続して送信するように送信契機の再設定を行い、予め定めた一定間隔で連続して送信されてきた測定報告の第２の基地局の通信品質情報が時間とともに増加している場合に、前記端末が前記第２の基地局の方向に移動していると判断し、前記第２の基地局をハンドオーバ先とすることを特徴とする前記請求項５に記載の基地局。
【請求項８】
前記端末に対して、前記第１または第２の基地局の通信品質が前回の測定報告の報告値より一定値以上増減した場合に、測定報告を行うように送信契機の再設定を行い、再設定された送信契機に基づいて送信されてきた測定報告の第２の基地局の通信品質情報が前回の測定報告の報告値より増加している場合には、前記端末が前記第２の基地局の方向に移動していると判断し、前記第２の基地局をハンドオーバ先とすることを特徴とする前記請求項５に記載の基地局。
【発明の詳細な説明】
【技術分野】
【０００１】
本発明は、無線通信システムに関し、特にセルラ無線通信システムにおけるハンドオーバ制御方法および基地局に関する。
【背景技術】
【０００２】
セルラ無線通信システムでは、複数の基地局あるいはアンテナが地理的に分散して配置され、その周囲に、それら基地局あるいはアンテナから送信される無線信号が受信可能なサービスエリアが形成される。このサービスエリアはセルと呼ばれ、移動端末は、移動端末における通信品質が最も高い基地局と接続するように制御され無線通信を行う。移動端末は、移動に伴って、現在接続している基地局より通信品質の良い基地局に接続先を次々と切り替えることで、移動しながら無線通信を維持できる。移動時の接続性を確保するために、セルの境界(セルエッジ)は重なりあっている。この、移動端末が接続先の基地局を切り替える処理をハンドオーバと言う。セルラ無線通信システムの標準化団体である３ＧＰＰ（３ｒｄ  Ｇｅｎｅｒａｔｉｏｎ  Ｐｅｒｔｎｅｒｓｈｉｐ  Ｐｒｏｊｅｃｔ）では、セルラ無線通信システムの一つであるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）におけるハンドオーバ処理の手順を規定しており、その詳細が非特許文献1に記載されている。
【０００３】
また、昨今の無線通信システムのトラフィック急増対策として、サービスエリア（セル半径）が広い既設マクロセル基地局のサービスエリア内にマクロ基地局に比較してサービスエリア（セル半径）の狭いスモールセル基地局を設置し、広さが異なるセルを混在させるＨｅｔＮｅｔ（Ｈｅｔｅｒｏｇｅｎｅｏｕｓ  Ｎｅｔｗｏｒｋ）が検討されている。ＨｅｔＮｅｔが適用された場合、トラフィック発生量が多いエリアにスモールセル基地局が複数設置されることになり、基地局数増大に起因して、ハンドオーバ発生回数が増大する。
【０００４】
そこで、ハンドオーバ発生回数を低減する技術が検討されている。
【０００５】
例えば、特許文献1には、無線通信端末が持つ通信履歴を用いて、セル内での通信時間が閾値よりも短い端末が多く存在するセルを抽出し、次にその端末のハンドオーバ元のセルを抽出し、２つのセル間のハンドオーバ可否判定閾値に補正値を設定してハンドオーバ処理の発生頻度を低減させる技術が開示されている。
【先行技術文献】
【特許文献】
【０００６】
【特許文献１】特開２０１２−１８６５８７号公報
【非特許文献】
【０００７】
【非特許文献１】３ＧＰＰ  ＴＳ３６．３３１  Ｖ１０．２．０  Ｓｅｃｔｉｏｎ  ５．４  Ｉｎｔｒａ−ＲＡＴ  ｍｏｂｉｌｉｔｙ
【発明の概要】
【発明が解決しようとする課題】
【０００８】
基地局数増大に起因して、ハンドオーバが頻繁に発生すると、ハンドオーバ処理により基地局を含むセルラ無線通信システム内のネットワーク装置の負荷が増大する。
【０００９】
さらに、前述のＨｅｔＮｅｔの適用により、通信可能エリア（セル半径）が狭いスモールセル基地局が旧来のマクロセル基地局と混在するようになると、セル配置および通信エリア構成が複雑になると予想される。例えば、複数のスモールセル基地局が隣接して設置されていて、各スモールセル基地局のサービスエリアが連続している場合であっても、各スモールセル基地局のセルエッジにおいて、マクロセル基地局の通信品質が各スモールセルよりも良くなっている場合がある。このような場合、サービスエリアが連続しているスモールセル基地局間を移動する端末は、スモールセル間ハンドオーバができるのにも係らず、スモールセルのセルエッジで一旦通信品質が高いマクロセル基地局へハンドオーバしてしまい、その直後に隣接するスモールセル基地局へハンドオーバを行うことになり、ハンドオーバ回数が増大する。
【００１０】
特許文献１では、滞在時間に着目して滞在時間が短いセルへのハンドオーバを抑制し、滞在時間が長いセルがハンドオーバ先として選択されやすくする。しかしながら、複数のスモールセル基地局が隣接している場合には、移動端末の位置によっては、ハンドオーバ先のセルとして選択すべきスモールセルがハンドオーバ候補として認識されているとは限らないため、かならずしもハンドオーバの発生頻度を抑制する結果とはならない場合がある。
【００１１】
本発明は、上記課題を解決するためになされたもので、ＨｅｔＮｅｔ構成の通信エリア環境において、隣接するスモールセル基地局間を移動している端末を、移動方向に位置するスモールセル基地局へハンドオーバさせ、ハンドオーバの発生頻度を低減することを目的とする。
【課題を解決するための手段】
【００１２】
上記の課題を解決するために、本発明は、第１セルサイズを有する第１の基地局と、第１のセルサイズよりも小さい第２のセルサイズを有する第２の基地局が混在する無線通信ネットワークにおいて、
基地局に、ハンドオーバ候補となる隣接基地局のセルサイズ情報テーブルを備え、
端末は、ハンドオーバを起動する測定報告を行う際に、予め定めた通信品質以上の第２の基地局の通信品質情報も測定報告に含めて送信し、
前記端末と通信中の基地局は、隣接基地局のセルサイズ情報テーブルから、測定報告にハンドオーバ対象基地局以外の第２のセルサイズの第２の基地局の通信品質情報が含まれていると判断した場合には、端末に対し、測定報告の送信契機の再設定を行い、再設定された送信契機に基づいて送信してきた測定報告から、端末の移動方向を判断し、ハンドオーバ先を決定するようにしたものである。
【発明の効果】
【００１３】
本発明の一態様によれば、隣接するスモールセル基地局間を移動している端末を、移動方向を考慮してハンドオーバさせることができ、ハンドオーバの発生頻度を低減することできる。
【図面の簡単な説明】
【００１４】
【図１】本発明の一実施例におけるセルラ無線通信システムの構成を説明する図である。
【図２】本発明の一実施例における基地局の構成を説明する図である。
【図３】本発明の一実施例における移動端末の構成を説明する次である。
【図４】本発明の一実施例において基地局が実施する、移動端末から報告された通信品質情報に基づく移動端末の移動方向の判定処理、およびハンドオーバ処理を説明するシーケンス図である。
【図５】基地局で管理されるハンドオーバ候補基地局のセルサイズ情報管理テーブルの一例を示す図である。
【図６】基地局で管理される移動端末のＭｅａｓｕｒｅｍｅｎｔ  Ｒｅｐｏｒｔ管理テーブルの一例を示す図である。
【図７】本発明の一実施例において、基地局が実施する、移動端末の移動方向判定処理の起動判定処理を説明するフロー図である。
【図８】Ｍｅａｓｕｒｅｍｅｎｔ  Ｒｅｐｏｒｔの再送設定方法の一例を説明するフロー図である。
【図９】Ｍｅａｓｕｒｅｍｅｎｔ  Ｒｅｐｏｒｔの再送設定方法の一例を説明するフロー図である。
【図１０】本発明の一実施例における移動端末のＭｅａｓｕｒｅｍｅｎｔ  Ｒｅｐｏｒｔ報告例を説明する図である。
【図１１】本発明の一実施例における移動端末のＭｅａｓｕｒｅｍｅｎｔ  Ｒｅｐｏｒｔ報告例を説明する図である。
【図１２】本発明の一実施例における移動端末のＭｅａｓｕｒｅｍｅｎｔ  Ｒｅｐｏｒｔ報告例を説明する図である。
【図１３】本発明の一実施例における移動端末のＭｅａｓｕｒｅｍｅｎｔ  Ｒｅｐｏｒｔ報告例を説明する図である。
【図１４】本発明の一実施例における移動端末のＭｅａｓｕｒｅｍｅｎｔ  Ｒｅｐｏｒｔ報告例を説明する図である。
【図１５】本発明の一実施例における移動端末のＭｅａｓｕｒｅｍｅｎｔ  Ｒｅｐｏｒｔ報告例を説明する図である。
【図１６】本発明の一実施例における移動端末の移動方向判定処理を説明する図である。
【図１７】本発明の一実施例における移動端末の移動方向判定処理を説明する図である。
【図１８】本発明の一実施例における基地局のハンドオーバ先決定処理を説明するフロー図である。
【発明を実施するための形態】
【００１５】
以下、本発明の実施形態を、Ｅ−ＵＴＲＡＮシステムを例として、図面を用いて説明する。
以下でセルとは、基地局から送信される無線信号が受信可能なエリアであり、端末はいずれか一つのセルに所属して無線通信を行うものとする。基地局は、１つないし複数の送受信機を具備し、送受信機に対応する１つないし複数のセルを形成する。また、隣接セルとは、あるセルに対して、周辺に存在する基地局の傘下のセルを含むものとし、必ずしも地理的に隣接しているセルである必要はない。隣接基地局は、あるセルを傘下に持つ基地局に対して、その基地局を除き、隣接セルを傘下に持つ基地局を指すものとする。以降の説明では、各基地局は、それぞれ単一のセルを傘下に持つものとする。
【００１６】
また、以下の例では、着目する基地局および着目する基地局の隣接基地局がともにスモールセル基地局である場合を例にとって本実施形態のハンドオーバ先決定処理を説明するが、本実施形態のハンドオーバ先決定処理をマクロセル基地局を含むハンドオーバ先決定処理に適用しても良い。
【００１７】
図１は、本発明の一実施例におけるセルラ無線通信システムの構成を説明する図である。
図１は、Ｅ−ＵＴＲＡＮシステムの構成例を示している。
Ｅ−ＵＴＲＡＮシステムは、図１に示す様に複数の基地局１０１〜１０５と複数の端末１３１〜１３４、およびコアネットワーク装置１２２から構成される。図１のシステムにおいて、セル１１１〜１１５はそれぞれ基地局１０１〜１０５と無線により、接続する端末１３１〜１３４がそれぞれの基地局と無線通信可能な範囲を示している。基地局のセル半径は、各基地局の運用形態、利用周波数、セル配置等の要因により決定される。たとえば、広いエリアをカバーすることを目的としたマクロセル基地局のセル半径は大きく、限られたエリアをカバーすることを目的としたスモールセル基地局のセル半径は小さい。図１の基地局１０１〜１０５は、ネットワーク（ＮＷ：Ｎｅｔｗｏｒｋ）１２１を通じ、有線回線によってコアネットワーク装置１２２に接続される。図１において、端末１３１は、基地局１０１に、端末１３２は、基地局１０２に、端末１３３は、基地局１０３に、端末１３４は、基地局１０４にそれぞれ無線によって接続することで通信が可能となる。なお、これ以降の説明において、基地局とは、基地局１０１〜１０５の少なくともいずれか１つを指し、端末とは、端末１３１〜１３４のいずれか１つを指すものとする。
【００１８】
図２は、本発明の一実施例における基地局の構成を説明する図である。
図２は、図１に示している基地局の一例である。なお、図１では、単一のセルを持つ基地局の構成を示しているが、前述のように、単一の基地局が複数のセルを持っていてもよい。
【００１９】
図２において、基地局は、メモリ２０１、ＣＰＵ２０２、端末と無線通信を行うための無線インタフェース２０３、誤り訂正符号化などを行う論理回路２０４、コアネットワーク装置１２２、隣接基地局と通信を行うための有線インタフェース２０５を備えている。
【００２０】
メモリ２０１は、端末のＭｅａｓｕｒｅｍｅｎｔ  Ｒｅｐｏｒｔ管理テーブル２２１、ハンドオーバ候補基地局のセルサイズ情報管理テーブル２２２を含む。これらのテーブルは本実施形態の特徴的な構成である。端末のメジャメントレポート（Ｍｅａｓｕｒｅｍｅｎｔ  Ｒｅｐｏｒｔ）管理テーブル２２１は、端末から報告されるＭｅａｓｕｒｅｍｅｎｔ  Ｒｅｐｏｒｔに含まれるその端末におけるハンドオーバ候補基地局の通信品質、例えばリファレンス信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、リファレンス信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）を格納する。ハンドオーバ候補基地局のセルサイズ情報管理テーブル２２２は、隣接基地局のＩＤ情報、およびセルサイズ情報を格納する。
【００２１】
基地局が隣接基地局のセルサイズ情報をどのようにして知ることができるかについて説明する。端末が移動してハンドオーバが必要になった際、ハンドオーバ元の基地局は、ハンドオーバ先の基地局にハンドオーバリクエストを送信する。図４のシーケンス図の説明で再度説明するが、本実施形態では、基地局は、他の基地局からハンドオーバリクエストを受信すると、それに含まれる端末のヒストリ情報を参照する。端末のヒストリ情報には、端末が信号を受信した各セルについて、セルのサイズの情報が含まれている。基地局は、ハンドオーバリクエストを受信する度に、ハンドオーバリクエストに含まれる端末のヒストリ情報を参照して必要なセルサイズ情報を取得してもよいし、定期的にまたは例えばコアネットワークを介して指示があった場合に、予め決められた期間ハンドオーバリクエストからセルサイズ情報を取得するようにしてもよい。
【００２２】
ＣＰＵ２０２は、送信データ処理部２１１、受信データ処理部２１２、端末の移動方向判定処理部２１３、ハンドオーバ先決定処理部２１４、ハンドオーバ処理部２１５、端末の移動方向判定処理の起動判定処理部２１６を含む。送信データ処理部２１１は、端末へ送信するデータを処理する。受信データ処理部２１２は、端末から受信するデータを処理する。端末の移動方向判定処理部２１３は、端末から報告されて来た通信品質情報等を参照し、端末の移動方向を判定する。ハンドオーバ先決定処理部２１４は、端末の移動方向の判定結果を用いて、ハンドオーバ先の基地局を決定する。ハンドオーバ処理部２１５は、端末をハンドオーバ候補基地局へハンドオーバさせる処理をする。端末の移動方向判定処理の起動判定処理部２１６は、端末が新たなハンドオーバにおいて最初に報告してきたＭｅａｓｕｒｅｍｅｎｔ  Ｒｅｐｏｒｔに含まれる通信品質情報から端末の移動方向判定処理部２１３を起動させるか否かを決定する。
【００２３】
図３は、本発明の一実施形態における端末の構成を説明する図である。
図３は、図１に示している端末の一例である。図３において、端末は、メモリ３０１、ＣＰＵ３０２、基地局と無線通信を行うための無線インタフェース３０３、誤り訂正符号化などを行う論理回路３０４を備えている。
【００２４】
メモリ３０１は、通信品質測定値テーブル３２１を含む。通信品質測定値テーブル３２１は、端末が測定した通信品質情報を格納する。
ＣＰＵ３０２は、送信データ処理部３１１、受信データ処理部３１２、通信品質測定部３１３を含む。送信データ処理部３１１は、基地局へ送信するデータを処理する。受信データ処理部３１２は、基地局から受信するデータを処理する。通信品質測定部３１３は、端末が測定した、端末と通信中の基地局、およびハンドオーバ候補基地局の通信品質情報を測定し、メモリ３０１に含まれる通信品質測定値テーブル３２１にて保持し、無線インタフェース３０３を通じて、通信中の基地局へ報告する。
図１のセルラ無線通信システムにおいて、基地局１０１〜１０５は、それぞれの傘下のセルに存在している端末が報告するＭｅａｓｕｒｅｍｅｎｔ  Ｒｅｐｏｒｔに含まれる通信品質情報に応じてハンドオーバ先を決定し、ハンドオーバ処理を実施する。
【００２５】
次に本発明の一実施形態におけるハンドオーバ時の基地局選択方法について説明する。
図４は、本発明の一実施例において基地局が実施する、移動端末から報告された通信品質情報に基づく移動端末の移動方向の判定処理、およびハンドオーバ処理を説明するシーケンス図である。
本実施例において各基地局は、他の基地局からハンドオーバリクエストを受信すると、ハンドオーバリクエストに含まれる端末のヒストリ情報を参照する。ヒストリ情報には、ハンドオーバを要求している端末が過去に在圏したセルの情報が含まれている。基地局は、ヒストリ情報にハンドオーバ候補基地局のセルサイズ情報が含まれている場合には、それを取得する。ハンドオーバ候補基地局のリストは、基地局を設置する際にオペレータが予め設定してもよいし、基地局が端末から受信したＭｅａｓｕｒｅｍｅｎｔ  Ｒｅｐｏｒｔに基づいて設定してもよい。オペレータが基地局を設置する際にハンドオーバ候補基地局のリストを設定しておく場合には、各ハンドオーバ候補基地局のセルサイズ情報もあわせて設定しておいてもよい。
【００２６】
図４の例では、端末１３４と通信中の基地局１０４（以降、通信中の基地局１０４、と呼ぶ）は、基地局１０３、１０５からハンドオーバリクエストを受信すると、ハンドオーバリクエストに含まれる端末のヒストリ情報を参照し、ヒストリ情報にハンドオーバ候補基地局のセルサイズ情報が含まれている場合には、それを取得する。通信中の基地局１０４は、取得したセルサイズ情報をハンドオーバ候補基地局のセルサイズ情報管理テーブル２２２（図２）に保持する（Ｓ４０３）。
【００２７】
図５は、ハンドオーバ候補基地局のセルサイズ情報管理テーブルの一例を示す図である。
通信中の基地局１０４は、基地局ＩＤ５０１で指定される基地局ごとに、セルサイズ５０２を、ハンドオーバ候補基地局のセルサイズ情報管理テーブル２２２に保持する。セルサイズは、Ｅ−ＵＴＲＡＮシステムにおいては、Ｌａｒｇｅ、Ｍｉｄｄｌｅ、Ｓｍａｌｌ、Ｖｅｒｙ  Ｓｍａｌｌの４段階の設定となっているが、４段階より少なくても、多くてもよい。
【００２８】
図４に戻り、端末１３４は、通信中の基地局１０４の通信品質、およびハンドオーバ候補の基地局１０４、１０５の通信品質をＭｅａｓｕｒｅｍｅｎｔ  Ｒｅｐｏｒｔとして通信中の基地局１０４へ報告する（Ｓ４０４）。この時の、通信品質とは、例えばリファレンス信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、リファレンス信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）である。また、端末は、基地局からの指示に応じて、周期的に、あるいは、通信品質が一定の基準を満たした場合に、基地局にＭｅａｓｕｒｅｍｅｎｔ  Ｒｅｐｏｒｔを送信する。
【００２９】
Ｍｅａｓｕｒｅｍｅｎｔ  Ｒｅｐｏｒｔを受信した通信中の基地局１０４は、端末の移動方向判定処理の起動判定を行う（Ｓ４０５）。端末の移動方向判定処理の起動判定を図７を用いて説明する。
【００３０】
図７は、端末の移動方向判定処理の起動判定処理を示すフロー図である。
図７において、基地局は、端末が報告するＭｅａｓｕｒｅｍｅｎｔ  Ｒｅｐｏｒｔに一定値以上の通信品質情報のスモールセル基地局が含まれるか否かを判定する（Ｓ７０１）。端末が報告するＭｅａｓｕｒｅｍｅｎｔ  Ｒｅｐｏｒｔに一定値以上の通信品質情報のスモールセル基地局が含まれる場合（Ｓ７０１のＹｅｓ）、基地局は、端末の移動方向判定処理の起動を決定し（Ｓ７０２）、端末に対して、Ｍｅｓｕｒｅｍｅｎｔ  Ｒｅｐｏｒｔの送信契機を端末に再設定する（Ｓ７０３）。
端末が報告するＭｅａｓｕｒｅｍｅｎｔ  Ｒｅｐｏｒｔに一定値以上の通信品質情報のスモールセル基地局が含まれない場合（Ｓ７０１のＮｏ）は、本実施例の特徴的な処理は行わず、スモールセル基地局以外の基地局への通常のハンドオーバ処理を実施する（Ｓ７０４）。
【００３１】
ステップ７０３における、Ｍｅｓｓｕｒｅｍｅｎｔ  Ｒｅｐｏｒｔの再送設定方法を、次に説明する。
図８は、Ｍｅｓｓｕｒｅｍｅｎｔ  Ｒｅｐｏｒｔの再送設定方法の一例を示すフロー図である。
図８は、Ｍｅｓｓｕｒｅｍｅｎｔ  Ｒｅｐｏｒｔの再送設定方法の第１の方法を示している。
第１の方法では、基地局は、ステップ８０１において、端末に対して一定の時間間隔で定期的にＭｅａｓｕｒｅｎｔ  Ｒｅｐｏｒｔを送信するように端末に設定する。基地局は、端末に対してＭｅａｓｕｒｅｎｔ  Ｒｅｐｏｒｔの送信条件や測定間隔を指定することができ、第１の方法では、測定間隔を、本実施例の移動方向判定ができるような間隔に設定する。このような設定をする事で、基地局は、端末の通信品質情報を一定時間毎に連続的に把握する事ができ、端末がどのセルのセルエッジに滞在するかといった滞在場所および移動方向を随時推定する事が可能となる。基地局は、Ｍｅａｓｕｒｅｎｔ  Ｒｅｐｏｒｔの報告回数をカウントして、予め設定した報告回数内で端末の移動方向判定を行う。
【００３２】
次に、一定の時間間隔で定期的にＭｅａｓｕｒｅｎｔ  Ｒｅｐｏｒｔを基地局に報告するように再送設定された端末のＭｅａｓｕｒｅｎｔ  Ｒｅｐｏｒｔの報告例について説明する。
図１０は、端末がスモールセル基地局に向かって移動している場合、図１１は、端末がスモールセル基地局以外の基地局に向かって移動している場合、図１２は、端末がその場に留まっている場合の報告例を示している。
【００３３】
図１０は、端末が、スモールセル基地局に向かって移動している場合のＭｅａｓｕｒｅｍｅｎｔ  Ｒｅｐｏｒｔの報告例を示す図である。
端末は、通信中の基地局の通信品質１００１がスモールセル基地局以外の基地局の通信品質１００２と比較して、一定値以上低くなったのを契機として（図１０では一定値＝０の場合を示す）、Ｍｅａｓｕｒｅｍｅｎｔ  Ｒｅｐｏｒｔ１００４を通信中の基地局に報告する。この時、通信品質が一定値以上のスモールセル基地局がある場合には、スモールセル基地局以外の基地局の通信品質１００２に加えて、そのスモールセル基地局の通信品質１００３を通信中の基地局へ報告する。
【００３４】
図７で説明したように、端末が報告するＭｅａｓｕｒｅｍｅｎｔ  Ｒｅｐｏｒｔにスモールセル基地局の通信品質情報が含まれているため、通信中の基地局は、端末の移動方向判定処理を起動し、端末に対して、Ｍｅａｓｕｒｅｍｅｎｔ  Ｒｅｐｏｒｔの送信契機を再設定する。端末は、通信中の基地局から通知されたＭｅａｓｕｒｅｍｅｎｔ  Ｒｅｐｏｒｔ報告間隔１００５にしたがって、定期的に２回目以降のＭｅａｓｕｒｅｍｅｎｔ  Ｒｅｐｏｒｔ１００６を通信中の基地局へ報告する。このように端末にＭｅａｓｕｒｅｍｅｎｔ  Ｒｅｐｏｒｔを連続して報告させる事で、スモールセル基地局の通信品質が時間とともに増大している事が把握できるため、基地局は、端末がスモールセル基地局に向かっていると判定をする事ができる。
【００３５】
図１１は、端末が、スモールセル基地局以外の基地局に向かって移動している場合のＭｅａｓｕｒｅｍｅｎｔ  Ｒｅｐｏｒｔの報告例を示す図である。
端末は通信中の基地局の通信品質１１０１がスモールセル基地局以外の基地局の通信品質１１０２と比較して、一定値以上低くなったのを契機として（図１１では一定値＝０の場合を示す）、Ｍｅａｓｕｒｅｍｅｎｔ  Ｒｅｐｏｒｔ１１０４を通信中の基地局に報告する。この時、通信品質が一定値以上のスモールセル基地局がある場合には、スモールセル基地局以外の基地局の通信品質１１０２に加えて、そのスモールセル基地局の通信品質１１０３を通信中の基地局へ報告する。
【００３６】
端末が報告するＭｅａｓｕｒｅｍｅｎｔ  Ｒｅｐｏｒｔにスモールセル基地局の通信品質情報が含まれているため、通信中の基地局は、端末の移動方向判定処理を起動し、端末に対して、Ｍｅａｓｕｒｅｍｅｎｔ  Ｒｅｐｏｒｔの送信契機を再設定する。端末は通信中の基地局から通知されたＭｅａｓｕｒｅｍｅｎｔ  Ｒｅｐｏｒｔ報告間隔１１０５にしたがって、定期的に２回目以降のＭｅａｓｕｒｅｍｅｎｔ  Ｒｅｐｏｒｔ１１０６を通信中の基地局へ報告する。このように端末にＭｅａｓｕｒｅｍｅｎｔ  Ｒｅｐｏｒｔを連続して報告させる事で、スモールセル基地局の通信品質が時間的に減少し、かつスモールセル以外の基地局の通信品質が時間的に増大している事が把握できるため、端末がスモールセル基地局に向かって移動していないと判定をする事ができる。
【００３７】
図１２は、端末が、通信中の基地局のセルエッジに滞在し、移動していない場合のＭｅａｓｕｒｅｍｅｎｔ  Ｒｅｐｏｒｔの報告例を示す図である。
端末は通信中の基地局の通信品質１２０１がスモールセル基地局以外の基地局の通信品質１２０２と比較して、一定値以上低くなったのを契機として（図１２では一定値＝０の場合を示す）、Ｍｅａｓｕｒｅｍｅｎｔ  Ｒｅｐｏｒｔ１２０４を通信中の基地局に報告する。この時、通信品質が一定値以上のスモールセル基地局がある場合には、スモールセル基地局以外の基地局の通信品質１２０２に加えて、そのスモールセル基地局の通信品質１２０３を通信中の基地局へ報告する。端末が報告するＭｅａｓｕｒｅｍｅｎｔ  Ｒｅｐｏｒｔにスモールセル基地局の通信品質情報が含まれているため、通信中の基地局は、端末の移動方向判定処理を起動し、端末に対して、Ｍｅａｓｕｒｅｍｅｎｔ  Ｒｅｐｏｒｔの送信契機を再設定する。端末は通信中の基地局から通知されたＭｅａｓｕｒｅｍｅｎｔ  Ｒｅｐｏｒｔ報告間隔１２０５にしたがって、定期的に２回目以降のＭｅａｓｕｒｅｍｅｎｔ  Ｒｅｐｏｒｔ１２０６を通信中の基地局へ報告する。このように端末にＭｅａｓｕｒｅｍｅｎｔ  Ｒｅｐｏｒｔを連続して報告させる事で、スモールセル基地局の通信品質が時間が経過しても変化がなく、かつスモールセル基地局以外の基地局の通信品質も時間的が経過しても変化がない事が把握できるため、端末が通信中の基地局のセルエッジに滞在し、移動していないと判定をする事ができる。
【００３８】
図９は、Ｍｅｓｓｕｒｅｍｅｎｔ  Ｒｅｐｏｒｔの再送設定方法の一例を示すフロー図である。
図９は、Ｍｅｓｓｕｒｅｍｅｎｔ  Ｒｅｐｏｒｔの再送設定方法の第２の方法を示している。
第２の方法では、基地局は、ステップ９０１において、スモールセル基地局以外の基地局の通信品質、または一定値以上のスモールセル基地局の通信品質が初回Ｍｅａｓｕｒｅｍｅｎｔ  Ｒｅｐｏｒｔ送信時より一定値以上増減した場合にＭｅａｓｕｒｅｍｅｎｔ  Ｒｅｐｏｒｔの送信をするように端末に設定する。このような設定をする事で、端末にＭｅａｓｕｒｅｍｅｎｔ  Ｒｅｐｏｒｔを随時報告させる事なく端末の移動方向、滞在場所を推定する事が可能となる。
【００３９】
次に、スモールセル基地局以外の基地局の通信品質、または一定値以上のスモールセル基地局の通信品質が初回Ｍｅａｓｕｒｅｍｅｎｔ  Ｒｅｐｏｒｔ送信時より一定値以上増減した場合に、Ｍｅａｓｕｒｅｍｅｎｔ  Ｒｅｐｏｒｔを基地局に送信をするように再送設定された端末のＭｅａｓｕｒｅｎｔ  Ｒｅｐｏｒｔの報告例について説明する。
図１３は、端末がスモールセル基地局に向かって移動している場合、図１４は、端末がスモールセル基地局以外の基地局に向かって移動している場合、図１５は、端末がその場に留まっている場合の方向例を示している。
【００４０】
図１３は、端末が、スモールセル基地局に向かって移動している場合のＭｅａｓｕｒｅｍｅｎｔ  Ｒｅｐｏｒｔの報告例を示す図である。
端末は、通信中の基地局の通信品質１３０１がスモールセル基地局以外の基地局の通信品質１３０２と比較して、一定値以上低くなったのを契機として（図１３では一定値＝０の場合を示す）、Ｍｅａｓｕｒｅｍｅｎｔ  Ｒｅｐｏｒｔ１３０４を通信中の基地局に報告する。この時、通信品質が一定値以上のスモールセル基地局がある場合には、スモールセル基地局以外の基地局の通信品質１３０２に加えて、そのスモールセル基地局の通信品質１３０３を通信中の基地局へ報告する。
【００４１】
端末が報告するＭｅａｓｕｒｅｍｅｎｔ  Ｒｅｐｏｒｔにスモールセル基地局の通信品質情報が含まれているため、通信中の基地局は、端末の移動方向判定処理を起動し、端末に対して、Ｍｅａｓｕｒｅｍｅｎｔ  Ｒｅｐｏｒｔの送信契機を再設定する。ここでは、スモールセル基地局以外の基地局の通信品質、または一定値以上のスモールセル基地局の通信品質が初回Ｍｅａｓｕｒｅｍｅｎｔ  Ｒｅｐｏｒｔ送信時より一定値以上増減した場合にＭｅａｓｕｒｅｍｅｎｔ  Ｒｅｐｏｒｔの送信をするように端末に設定する。
端末はスモールセル基地局の通信品質が一定値１３０５以上増大した事を契機にして、２回目のＭｅａｓｕｒｅｍｅｎｔ  Ｒｅｐｏｒｔ１３０６を通信中の基地局へ報告する。このようにスモールセル基地局の通信品質が一定値以上増大した事を契機にして端末にＭｅａｓｕｒｅｍｅｎｔ  Ｒｅｐｏｒｔを再報告させる事で、端末にＭｅａｓｕｒｅｍｅｎｔ  Ｒｅｐｏｒｔを複数回報告させる事なく、スモールセル基地局の通信品質が増大している事が把握できるため、端末がスモールセル基地局に向かって移動していると判定をする事ができる。
【００４２】
図１４は、端末が、スモールセル基地局以外の基地局に向かって移動している場合のＭｅａｓｕｒｅｍｅｎｔ  Ｒｅｐｏｒｔの報告例を示す図である。
端末は通信中の基地局の通信品質１４０１がスモールセル基地局以外の基地局の通信品質１４０２と比較して、一定値以上低くなったのを契機として（図１４では一定値＝０の場合を示す）、Ｍｅａｓｕｒｅｍｅｎｔ  Ｒｅｐｏｒｔ１４０４を通信中の基地局に報告する。この時、通信品質が一定値以上のスモールセル基地局がある場合には、スモールセル基地局以外の基地局の通信品質１４０２に加えて、そのスモールセル基地局の通信品質１４０３を通信中の基地局へ報告する。
【００４３】
端末が報告するＭｅａｓｕｒｅｍｅｎｔ  Ｒｅｐｏｒｔにスモールセル基地局の通信品質情報が含まれているため、通信中の基地局は、端末の移動方向判定処理を起動し、端末に対して、Ｍｅａｓｕｒｅｍｅｎｔ  Ｒｅｐｏｒｔの送信契機を再設定する。ここでは、スモールセル基地局以外の基地局の通信品質、または一定値以上のスモールセル基地局の通信品質が初回Ｍｅａｓｕｒｅｍｅｎｔ  Ｒｅｐｏｒｔ送信時より一定値以上増減した場合にＭｅａｓｕｒｅｍｅｎｔ  Ｒｅｐｏｒｔの送信をするように端末に設定する。
端末はスモールセル基地局以外の基地局の通信品質が一定値１４０５以上増大した事を契機にして、２回目のＭｅａｓｕｒｅｍｅｎｔ  Ｒｅｐｏｒｔ１４０６を通信中の基地局へ報告する。このようにスモールセル基地局以外の基地局の通信品質が一定値以上増大した事を契機にして端末にＭｅａｓｕｒｅｍｅｎｔ  Ｒｅｐｏｒｔを再報告させる事で、端末にＭｅａｓｕｒｅｍｅｎｔ  Ｒｅｐｏｒｔを複数回報告させる事なく、スモールセル基地局以外の基地局の通信品質が増大している事が把握できるため、端末がスモールセル基地局に向かって移動していない判定をする事ができる。
【００４４】
図１５は、端末が、通信中の基地局のセルエッジに滞在している場合のＭｅａｓｕｒｅｍｅｎｔ  Ｒｅｐｏｒｔの報告例を示す図である。
端末は通信中の基地局の通信品質１５０１がスモールセル基地局以外の基地局の通信品質１５０２と比較して、一定値以上低くなったのを契機として（図１５では一定値＝０の場合を示す）、Ｍｅａｓｕｒｅｍｅｎｔ  Ｒｅｐｏｒｔ１５０４を通信中の基地局に報告する。この時、通信品質が一定値以上のスモールセル基地局がある場合には、スモールセル基地局以外の基地局の通信品質１５０２に加えて、一定値以上のスモールセル基地局の通信品質１５０３を通信中の基地局へ報告する。
【００４５】
端末が報告するＭｅａｓｕｒｅｍｅｎｔ  Ｒｅｐｏｒｔにスモールセル基地局の通信品質情報が含まれているため、通信中の基地局は、端末の移動方向判定処理を起動し、端末に対して、Ｍｅａｓｕｒｅｍｅｎｔ  Ｒｅｐｏｒｔの送信契機を再設定する。ここでは、スモールセル基地局以外の基地局の通信品質、または一定値以上のスモールセル基地局の通信品質が初回Ｍｅａｓｕｒｅｍｅｎｔ  Ｒｅｐｏｒｔ送信時より一定値以上増減した場合にＭｅａｓｕｒｅｍｅｎｔ  Ｒｅｐｏｒｔの送信をするように端末に設定する。
図１５の例では、スモールセル基地局以外の基地局、およびスモールセル基地局の通信品質が一定値以上増減しないため、２回目のＭｅａｓｕｒｅｍｅｎｔ  Ｒｅｐｏｒｔ１２０６を通信中の基地局へ報告しない。このように２回目のＭｅａｓｕｒｅｍｅｎｔ  Ｒｅｐｏｒｔ報告の条件を満たさない場合にＭｅａｓｕｒｅｍｅｎｔ  Ｒｅｐｏｒｔを報告させない事で、端末にＭｅａｓｕｒｅｍｅｎｔ  Ｒｅｐｏｒｔを報告させることなく、端末が通信中の基地局のセルエッジに滞在し、移動していないと判定をする事ができる。
【００４６】
図４に戻り、端末１３４が報告するＭｅａｓｕｒｅｍｅｎｔ  Ｒｅｐｏｒｔにスモールセル基地局の通信品質情報が含まれているか否かにより端末の移動方向判定処理の起動を決定（Ｓ４０５）した通信中の基地局１０４は、端末１３４のＭｅａｓｕｒｅｍｅｎｔ  Ｒｅｐｏｒｔ情報を、端末のＭｅａｓｕｒｅｍｅｎｔ  Ｒｅｐｏｒｔ管理テーブル２２１（図２）に保持する。
【００４７】
図６は、端末のＭｅａｓｕｒｅｍｅｎｔ  Ｒｅｐｏｒｔ管理テーブルの一例を示すである。
通信中の基地局１０４は、端末ＩＤ６０１で指定される端末毎に、Ｍｅａｓｕｒｅｍｅｎｔ  Ｒｅｐｏｒｔに含まれる基地局のＩＤ６０２、及び基地局のセルサイズ６０３、さらに各基地局について端末が報告したＭｅａｓｕｒｅｍｅｎｔ  Ｒｅｐｏｒｔの回数分の通信品質情報を、端末のＭｅａｓｕｒｅｍｅｎｔ  Ｒｅｐｏｒｔ管理テーブル２２１として保持する。ここで、セルサイズ情報は、端末から報告されたＭｅａｓｕｒｅｍｅｎｔ  Ｒｅｐｏｒｔには含まれていないため、図５のハンドオーバ候補基地局のセルサイズ情報管理テーブルを参照する。
【００４８】
基地局は、端末のＭｅａｓｕｒｅｍｅｎｔ  Ｒｅｐｏｒｔ管理テーブル２２１に保持した情報に基づいて、端末毎に、端末の移動方向判定処理の起動の要否を判断し、要と判断した場合には、Ｍｅａｓｕｒｅｍｅｎｔ  Ｒｅｐｏｒｔの送信契機を端末に再設定し、端末の移動方向判定処理を行う。
本実施例では、例えばセルサイズがＳｍａｌｌまたはＶｅｒｙ  Ｓｍａｌｌの基地局をスモールセル基地局として端末の移動方向判定処理の起動の要否を判断する。この場合、図６に示す例では、端末ＩＤが１、３、４の端末について、本実施例の移動方向判定処理を起動する。別の例として、セルサイズがＶｅｒｙ  Ｓｍａｌｌの基地局をスモールセル基地局として端末の移動方向判定処理の起動の要否を判断する場合には、図６に示す例では、端末ＩＤが３、４の端末について、本実施例の移動方向判定処理を起動する。
【００４９】
その後、通信中の基地局１０４は、端末の移動方向判定処理を行う（Ｓ４０８）。
端末の移動方向判定処理を図１６、図１７を用いて説明する。
【００５０】
図１６は、端末の移動方向判定処理の一例を示すフロー図である。
図１６は、Ｍｅｓｓｕｒｅｍｅｎｔ  Ｒｅｐｏｒｔの再送設定方法の第１の方法を適用した時の端末の移動方向判定処理を示すフロー図である。
図１６において、基地局は、端末が報告するＭｅａｓｕｒｅｍｅｎｔ  Ｒｅｐｏｒｔの再送回数が一定回数以下か否かを判定する（Ｓ１６０１）。端末が報告するＭｅａｓｕｒｅｍｅｎｔ  Ｒｅｐｏｒｔの再送回数が一定回数以下の場合（Ｓ１６０１のＹｅｓ）、基地局は、端末が再送したＭｅａｓｕｒｅｍｅｎｔ  Ｒｅｐｏｒｔに含まれるスモールセル基地局の通信品質が初回Ｍｅａｓｕｒｅｍｅｎｔ  Ｒｅｐｏｒｔの値に比較して一定値以上増大しているか否かを判定する（Ｓ１６０２）。
【００５１】
端末が再送したＭｅａｓｕｒｅｍｅｎｔ  Ｒｅｐｏｒｔに含まれるスモールセル基地局の通信品質が初回Ｍｅａｓｕｒｅｍｅｎｔ  Ｒｅｐｏｒｔの値に比較して一定値以上増大している場合（Ｓ１６０２のＹｅｓ）、基地局は、端末がスモールセル基地局へ向かって移動していると判定する（Ｓ１６０４）。一方、端末が再送したＭｅａｓｕｒｅｍｅｎｔ  Ｒｅｐｏｒｔに含まれるスモールセル基地局の通信品質が初回Ｍｅａｓｕｒｅｍｅｎｔ  Ｒｅｐｏｒｔの値に比較して一定値以上増大していない場合（Ｓ１６０２のＮｏ）、基地局は、端末が再送したＭｅａｓｕｒｅｍｅｎｔ  Ｒｅｐｏｒｔに含まれるスモールセル基地局以外の通信品質が初回Ｍｅａｓｕｒｅｍｅｎｔ  Ｒｅｐｏｒｔの値に比較して一定値以上増大しているか否かを判定する（Ｓ１６０３）。端末が再送したＭｅａｓｕｒｅｍｅｎｔ  Ｒｅｐｏｒｔに含まれるスモールセル基地局以外の通信品質が初回Ｍｅａｓｕｒｅｍｅｎｔ  Ｒｅｐｏｒｔの値に比較して一定値以上増大している場合（Ｓ１６０３のＹｅｓ）、基地局は、端末がスモールセル基地局へ向かって移動していないと判定する（Ｓ１６０５）。端末が再送したＭｅａｓｕｒｅｍｅｎｔ  Ｒｅｐｏｒｔに含まれるスモールセル基地局以外の通信品質が初回Ｍｅａｓｕｒｅｍｅｎｔ  Ｒｅｐｏｒｔの値に比較して一定値以上増大していない場合（Ｓ１６０３のＮｏ）、基地局は、ステップ１６０１の処理を再度行う。また、端末が報告するＭｅａｓｕｒｅｍｅｎｔ  Ｒｅｐｏｒｔの再送回数が一定回数より多い場合（Ｓ１６０１のＮｏ）、基地局は、１６０５において端末が基地局の基地局のセルエッジに滞在し、移動していないと判定する。
【００５２】
図１７は、端末の移動方向判定処理の一例を示すフロー図である。
図１７は、Ｍｅｓｓｕｒｅｍｅｎｔ  Ｒｅｐｏｒｔの再送設定方法の第２の方法を適用した時の端末の移動方向判定処理を示すフロー図である。
図１７において、基地局は、新たなハンドオーバにおける最初のＭｅａｓｕｒｅｍｅｎｔ  Ｒｅｐｏｒｔ受信から一定時間以内に２回目のＭｅａｓｕｒｅｍｅｎｔ  Ｒｅｐｏｒｔを受信しているか否かを判定する（Ｓ１７０１）。初回Ｍｅａｓｕｒｅｍｅｎｔ  Ｒｅｐｏｒｔ受信から一定時間以内に２回目のＭｅａｓｕｒｅｍｅｎｔ  Ｒｅｐｏｒｔを受信している場合（Ｓ１７０１のＹｅｓ）、基地局は、スモールセル基地局の通信品質が初回Ｍｅａｓｕｒｅｍｅｎｔ  Ｒｅｐｏｒｔの値に比較して一定値以上増大しているか否かを判定する。スモールセル基地局の通信品質が初回Ｍｅａｓｕｒｅｍｅｎｔ  Ｒｅｐｏｒｔの値に比較して一定値以上増大している場合（Ｓ１７０２のＹｅｓ）、基地局は端末がスモールセル基地局へ向かって移動していると判定する（Ｓ１７０３）。
【００５３】
一方、スモールセル基地局の通信品質が初回Ｍｅａｓｕｒｅｍｅｎｔ  Ｒｅｐｏｒｔの値に比較して一定値以上増大していない場合（Ｓ１７０２のＮｏ）、基地局は端末がスモールセル基地局へ向かって移動していないと判定する（Ｓ１７０４）。また、初回Ｍｅａｓｕｒｅｍｅｎｔ  Ｒｅｐｏｒｔ受信から一定時間以内に２回目のＭｅａｓｕｒｅｍｅｎｔ  Ｒｅｐｏｒｔを受信していない場合（Ｓ１７０１のＮｏ）、ステップ１７０４において、基地局は、端末が基地局のセルエッジに滞在し、移動していないと判定する。
【００５４】
図４に戻り、通信中の基地局１０４は、ハンドオーバ先決定処理を行う。
図１８は、ハンドオーバ決定処理を説明するフロー図である。
図１８において、基地局は、端末がスモールセル基地局へ向かって移動しているか否かを判定する（Ｓ１８０１）。端末がスモールセル基地局へ向かって移動していると判定した場合（Ｓ１８０１のＹｅｓ）、基地局は、端末をスモールセル基地局へハンドオーバさせる（Ｓ１８０２）。一方、端末がスモールセル基地局へ向かって移動していないと判定した場合（Ｓ１８０１のＮｏ）、スモールセル基地局以外の基地局へハンドオーバさせる事を決定する（Ｓ１８０３）。
【００５５】
図４に戻り、通信中の基地局は、ハンドオーバ先と決定したハンドオーバ候補基地局１０５に対して、ハンドオーバ要求を送信する（Ｓ４１０）。ハンドオーバ要求を受信したハンドオーバ候補基地局１０５は、通信中の基地局１０４に対してハンドオーバ応答を返し（Ｓ４１１）、通信中の基地局１０４は端末１３４へハンドオーバ指示を行う（Ｓ４１２）。その後、端末１３４とハンドオーバ候補基地局１０５は接続確立を行い（Ｓ４１３）、ハンドオーバ候補基地局１０５はコアネットワーク装置１２２にハンドオーバ完了通知を行う（Ｓ４１４）。
【００５６】
上記のように、スモールセル基地局の通信品質情報が含まれるＭｅａｓｕｒｅｍｅｎｔ  Ｒｅｐｏｒｔを報告してきた端末に対して、スモールセル基地局に向かって移動しているか否かを判定し、スモールセル基地局へ向かって移動している端末に対しては、セルエッジにおいてマクロセル基地局の通信品質がスモールセル基地局の通信品質を上回っていても、マクロセル基地局へハンドオーバさせることなく、スモールセル基地局へハンドオーバさせる事で、ハンドオーバ発生回数を低減させる事が可能となる。
【符号の説明】
【００５７】
１０１〜１０５  基地局  
１０１〜１０５  各基地局のセル
１２１  ネットワーク
１２２  コアネットワーク装置
１３１〜１３４  端末
２０１  基地局のメモリ
２０２  基地局のＣＰＵ
２０３  基地局の無線インタフェース
２０４  基地局の論理回路
２０５  基地局の有線インタフェース
２１１  基地局の送信データ処理部
２１２  基地局の受信データ処理部
２１３  基地局の端末の移動方向判定処理部
２１４  基地局のハンドオーバ先決定処理部
２１５  基地局のハンドオーバ処理部
２１６  基地局の端末の移動方向判定処理の起動判定処理部
２２１  基地局の端末のＭｅａｓｕｒｅｍｅｎｔ  Ｒｅｐｏｒｔ管理テーブル
２２２  基地局のハンドオーバ候補基地局のセル情報管理テーブル
３０１  端末のメモリ
３０２  端末のＣＰＵ
３０３  端末の無線インタフェース
３０４  端末の論理回路
３１１  端末の送信データ処理部
３１２  端末の受信データ処理部
３１３  端末の通信品質測定部
３２１  端末の通信品質測定値テーブル
【図１】
2015220696.tif 000003
【図２】
2015220696.tif 000004
【図３】
2015220696.tif 000005
【図４】
2015220696.tif 000006
【図５】
2015220696.tif 000007
【図６】
2015220696.tif 000008
【図７】
2015220696.tif 000009
【図８】
2015220696.tif 000010
【図９】
2015220696.tif 000011
【図１０】
2015220696.tif 000012
【図１１】
2015220696.tif 000013
【図１２】
2015220696.tif 000014
【図１３】
2015220696.tif 000015
【図１４】
2015220696.tif 000016
【図１５】
2015220696.tif 000017
【図１６】
2015220696.tif 000018
【図１７】
2015220696.tif 000019
【図１８】
2015220696.tif 000020